(57)【特許請求の範囲】
【請求項１】
化粧室を仕切る正面壁と、互いに対向する第１、第２側面壁と、前記正面壁に対向する背面壁とを有し、
前記正面壁に出入口が設けられ、
前記背面壁の前方で前記第２側面壁寄りに便器が設けられ、
前記第１側面壁の下部前方に前記第１側面壁の幅方向に延在する洗面台が配置され、
前記洗面台のカウンターに洗面ボール、給水栓が設けられ、
前記第１側面壁の上部前方で前記洗面台の上方に、前方に開放状で前記第１側面壁の幅方向に延在する収納棚が配置され、
前記収納棚の前部を開閉する鏡が設けられ、
前記カウンターと前記収納棚の底部との間の前記第１側面壁は前方に開放された化粧室ユニットであって、
前記洗面ボールの上方に位置する前記収納棚の底部は、前記洗面ボールの中央の直上に位置する部分が、前記収納棚の延在方向で前記直上に位置する部分の両側部分よりも上方に変位した上方に窪む湾曲部として形成され、
前記湾曲部として形成された前記収納棚の底部は、前記鏡の下端あるいは前記収納棚の前面下部に接続され下方に至るにつれて次第に前記第１側面壁に近づく傾斜面と、前記カウンターと平行して延在し前記傾斜面の下端と前記第１側面壁とを接続する底面とで形成されている、
ことを特徴とする化粧室ユニット。
【請求項２】
前記傾斜面と前記底面は、前記収納棚の延在方向の全長にわたる前記底部の全域にわたって設けられている、
ことを特徴とする請求項１記載の化粧室ユニット。
【請求項３】
前記底面に、前記洗面ボールを照らす照明器具が取着されている、
ことを特徴とする請求項１記載の化粧室ユニット。
【請求項４】
前記収納棚に、紙コップあるいはペーパータオルなどの使い捨て用品のディスペンサが収納され、
前記底面に、前記ディスペンサの前記使い捨て用品の取り出し口が設けられている、
ことを特徴とする請求項１記載の化粧室ユニット。
【請求項５】
前記収納棚に、紙コップのディスペンサおよびペーパータオルのディスペンサが収納され、
前記底面に、それらディスペンサの紙コップの取り出し口とペーパータオルの取り出し口とが前記収納棚の延在方向に間隔をおいて設けられている、
ことを特徴とする請求項１記載の化粧室ユニット。
【発明の詳細な説明】
【技術分野】
【０００１】
本発明は化粧室ユニットに関し、より詳細には、航空機の機内に設置されて好適な化粧室ユニットに関する。
【背景技術】
【０００２】
航空機の機内には、多数の座席が並べられた座席群が機体の前後方向に沿って複数配置されており、航空機用の化粧室ユニットは、それら座席群の間のスペースに配置される場合が多い。
元来、航空機の機内は限られた狭いスペースであり、そのスペースに設置される化粧室ユニットもコンパクト化が要請されている。
【０００３】
従来、化粧室ユニットの側壁の下部前方に、側壁の幅方向に延在する洗面台が配置され、洗面台のカウンターに洗面ボール、給水栓が設けられる。
また、側壁の上部前方で洗面台の上方に、前方に開放状で前記壁部の幅方向に延在する収納棚が配置され、この収納棚の前部を開閉する鏡が設けられる（特許文献１）。
【特許文献１】特開２００２−１５４４８９
【発明の開示】
【発明が解決しようとする課題】
【０００４】
一方、上述のように化粧室ユニットもコンパクト化が要請されているため、狭いスペース内で鏡の大きさや収納棚の収納スペースを最低限確保しようとすると、洗面台のカウンターと収納棚の底部との間には大きなスペースを確保することができない。
そのため、例えば、洗面ボールで手を洗うときには、手元が見ずらくなり、使い勝手に劣る不具合があった。
また、清掃時には、カウンターの奥まで目が行き届かず、清掃作業を効率よく行なう上で不利があった。
本発明は前記事情に鑑み案出されたものであって、本発明の目的は、洗面ボールで手を洗うときに手元が見易く、また、カウンターの奥まで目が行き届き、使い勝手に優れ、清掃作業を効率よく行なう上で有利な化粧室ユニットを提供することにある。
【課題を解決するための手段】
【０００５】
前記目的を達成するため本発明は、化粧室を仕切る正面壁と、互いに対向する第１、第２側面壁と、前記正面壁に対向する背面壁とを有し、前記正面壁に出入口が設けられ、前記背面壁の前方で前記第２側面壁寄りに便器が設けられ、前記第１側面壁の下部前方に前記第１側面壁の幅方向に延在する洗面台が配置され、前記洗面台のカウンターに洗面ボール、給水栓が設けられ、前記第１側面壁の上部前方で前記洗面台の上方に、前方に開放状で前記第１側面壁の幅方向に延在する収納棚が配置され、前記収納棚の前部を開閉する鏡が設けられ、前記カウンターと前記収納棚の底部との間の前記第１側面壁は前方に開放された化粧室ユニットであって、前記洗面ボールの上方に位置する前記収納棚の底部は、前記洗面ボールの中央の直上に位置する部分が、前記収納棚の延在方向で前記直上に位置する部分の両側部分よりも上方に変位した上方に窪む湾曲部として形成され、前記湾曲部として形成された前記収納棚の底部は、前記鏡の下端あるいは前記収納棚の前面下部に接続され下方に至るにつれて次第に前記第１側面壁に近づく傾斜面と、前記カウンターと平行して延在し前記傾斜面の下端と前記第１側面壁とを接続する底面とで形成されていることを特徴とする。
【発明の効果】
【０００６】
本発明では、洗面ボールの上方に位置する収納棚の底部に、上方に窪む湾曲部と、傾斜面とが形成されているので、収納棚の収納スペースを確保しつつ、カウンターや洗面ボールの奥まで簡単に視認できる。
したがって、洗面ボールで手を洗うときに、手元が見易くなり、使い勝手に優れ、清掃時には、カウンターの奥まで簡単に目が届き、清掃作業を効率よく行なう上で有利となる。
【発明を実施するための最良の形態】
【０００７】
以下、本発明の化粧室ユニットを、航空機の機内に設置される航空機用化粧室に適用した実施の形態について図面にしたがって説明する。
図１は化粧室ユニットの平面図、図２は洗面台、収納棚、鏡部分の正面図、図３は洗面台、収納棚、鏡部分の斜視図、図４は洗面台、収納棚、鏡部分の断面側面図を示す。
【０００８】
化粧室ユニット１０は、化粧室１２を機内から仕切る化粧室躯体１４を備えている。
化粧室躯体１４は、底面壁１６と、上面壁１８と、出入口２０が形成された正面壁２２と、互いに対向する第１、第２側面壁２４、２６と、正面壁２２に対向する背面壁２８と、出入口２０を開閉する揺動可能なドア３０などを有している。
【０００９】
出入口２０は、正面壁２２の第２側面壁２６寄りに設けられている。
化粧室１２内には、背面壁２８の前方で第２側面壁２６寄りに便器３２が設けられている。
第１側面壁２４の前端は、正面壁２２の幅方向の端部に接続されている。
上面壁１８と背面壁２８の上部にそれぞれ照明器具２９Ａ、２９Ｂが設けられている。
【００１０】
そして、化粧室１２内において、第１側面壁２４の下部前方に第１側面壁２４の幅方向に延在する洗面台３４が配置されている。
また、第１側面壁２４の上部前方で洗面台３４の上方に、前方に開放状で第１側面壁２４の幅方向に延在する収納棚３６が配置されている。
そして、収納棚３６の前部を開閉する２枚の鏡３８Ａ、３８Ｂが設けられている。
【００１１】
洗面台３４のカウンター４０で正面壁２２寄りの箇所に洗面ボール４２が設けられ、洗面ボール４２の両側に給水栓４４と石鹸水供給用タンク４６とが設けられている。
なお、洗面ボール４２が設けられた部分のカウンター４０の奥行きは、図１に示すように、収納棚３６の奥行きの約２倍程度である。
また、洗面ボール４２の下方の洗面台３４の前面の上部には、ダストボックスの投入口５０が設けられ、また、トイレットペーパー５２が配置されている。
【００１２】
収納棚３６に、紙コップあるいはペーパータオルなどの使い捨て用品のディスペンサが収納されている。
本実施の形態では、使い捨て用品のディスペンサは、図５に示すように、紙コップ５４のディスペンサ５６と、図２に示すように、ペーパータオルのディスペンサ６０であり、収納棚３６に、それらディスペンサ５６、６０が収納されている。
【００１３】
洗面ボール４２の上方に位置する収納棚３６の底部は、図２に示すように、洗面ボール４２の中央の直上に位置する部分７０Ａが、収納棚３６の延在方向で直上に位置する部分７０Ａの両側部分７０Ｂよりも上方に変位した上方に窪む湾曲部７０として形成されている。
そして、図４に示すように、湾曲部７０として形成された収納棚３６の底部は、鏡３８Ａの下端あるいは収納棚３６の前面３６Ａ下部に接続され下方に至るにつれて次第に第１側面壁２４に近づく傾斜面７２と、カウンター４０と平行して延在し傾斜面７２の下端と第１側面壁２４とを接続する底面７４とで形成されている。
本実施の形態では、それら傾斜面７２と底面７４は、収納棚３６の延在方向の全長にわたる底部の全域にわたって設けられている。
【００１４】
底面７４には、ディスペンサ５６の紙コップ５４の取り出し口５６Ａと、ディスペンサ６０のペーパータオルの取り出し口６０Ａが設けられている。
また、底面７４に、図２に示すように、洗面ボール４２部分を照らす照明器具７６が設けられている。
【００１５】
本実施の形態によれば、洗面ボール４２の上方に位置する収納棚３６の底部が、洗面ボール４２の中央の直上に位置する部分７０Ａが、収納棚３６の延在方向で直上に位置する部分７０Ａの両側部分７０Ｂよりも上方に変位した上方に窪む湾曲部７０として形成され、さらに、湾曲部７０として形成された収納棚３６の底部に、収納棚３６の前面３６Ａ下部に接続され下方に至るにつれて次第に第１側面壁２４に近づく傾斜面７２が形成されている。
したがって、図４に想像線で示すように、湾曲部７０および傾斜面７２を備えていない従来の収納棚８０に比べ、収納棚３６の収納スペースを確保しつつ、カウンター４０の直上に位置する第１側面壁２４部分を含むカウンター４０の奥まで簡単に視認できるようになる。
したがって、洗面ボール４２で手を洗うときに、手元が見易くなり、使い勝手に優れ、清掃時には、カウンター４０の奥まで簡単に目が届き、清掃作業を効率よく行なう上で有利となる。
【００１６】
また、本実施の形態では、底面７４に、洗面ボール４２部分を照らす照明器具７６が設けられているので、洗面ボール４２で手を洗うときの手元がより見易く、また、カウンター４０の奥をより簡単に視認でき、化粧室ユニットの使い勝手を向上し、清掃作業を効率よく行なう上でより一層有利となる。
また、本実施の形態では、傾斜面７２と底面７４が、収納棚３６の延在方向の全長にわたる底部の全域にわたって設けられているので、カウンター４０の全長にわたりカウンター４０の奥まで簡単に目が届き、清掃作業を効率よく行なう上でより一層有利となる。
また、収納棚３６の底部に、湾曲部７０および傾斜面７２が設けられているので、ディスペンサ５６の紙コップ５４の取り出し口５６Ａと、ディスペンサ６０のペーパータオルの取り出し口６０Ａとが見易くなり、それらディスペンサ５６，６０の使い勝手を向上する上でも有利となる。
【００１７】
なお、本実施の形態では、航空機の機内に設置される化粧室ユニット１０に本発明を適用した場合について説明したが、本発明の化粧室ユニット１０は、船、鉄道車両、ホテル、劇場など航空機の機内以外の箇所に設置される場合にも広く適用される。
【図面の簡単な説明】
【００１８】
【図１】化粧室ユニットの平面図である。
【図２】洗面台、収納棚、鏡部分の正面図である。
【図３】洗面台、収納棚、鏡部分の斜視図である。
【図４】洗面台、収納棚、鏡部分の断面側面図である。
【符号の説明】
【００１９】
１０……化粧室ユニット、１２……化粧室、２４……第１側面壁、３４……洗面台、３６……収納棚、３８Ａ、３８Ｂ……鏡、４０……カウンター、４２……洗面ボール、４４……給水栓、５６……紙コップのディスペンサ、６０……ペーパータオルのディスペンサ、７０……湾曲部、７２……傾斜面、７４……底面。
【図１】
0005104268.tif 000002
【図２】
0005104268.tif 000003
【図３】
0005104268.tif 000004
【図４】
0005104268.tif 000005